(57)【特許請求の範囲】
【請求項１】
次の５つの成分群（Ｉ）〜（Ｖ）：
（Ｉ）オクタナール、ノナナールおよび／またはデカナール
（II）リナロール
（III）カルボン
（IV）アントラニル酸メチルおよび／またはＮ−メチルアントラニル酸メチル
（Ｖ）シネンサールおよび／またはオレンジピール精油シネンサール画分
のうち、少なくとも２つの成分群の成分を、質量比で、成分群（Ｉ）の成分：成分群（II）の成分：成分群（III）の成分：成分群（IV）の成分：成分群（Ｖ）の成分＝２〜６：３〜１０：０．５〜２．５：０．５〜２０：０．１〜３となる割合で含有するタバコ臭気消臭組成物と、該タバコ臭気消臭組成物を担持する担体とからなることを特徴とするタバコ臭気消臭剤。
【請求項２】
該タバコ臭気消臭組成物が、該成分群（Ｉ）〜（Ｖ）のうち、少なくとも３つの成分群の成分を含有することを特徴とする請求項１に記載のタバコ臭気消臭剤。
【請求項３】
該タバコ臭気消臭組成物が、オクタナール、リナロール、カルボン、アントラニル酸メチル、およびシネンサールもしくはオレンジピール精油シネンサール画分からなる群の中から選ばれる少なくとも２種以上の成分を含有することを特徴とする請求項１に記載のタバコ臭気消臭剤。
【請求項４】
該タバコ臭気消臭組成物が、オクタナール、リナロール、カルボン、アントラニル酸メチル、およびシネンサールもしくはオレンジピール精油シネンサール画分を、質量比で、３〜５：５〜１０：０．５〜１．５：１〜１０：０．５〜２となる割合で含有することを特徴とする請求項１に記載のタバコ臭気消臭剤。
【請求項５】
液体状消臭剤、固体状消臭剤、粉末状消臭剤、ゲル状消臭剤、ミスト状消臭剤、またはエアゾール状消臭剤の形態にある請求項１ないし４のいずれか１項に記載のタバコ臭気消臭剤。
【請求項６】
タバコ臭気消臭組成物を０．００５〜５０質量％の割合で含有する請求項５に記載のタバコ臭気消臭剤。
【請求項７】
請求項１ないし６のいずれか１項に記載のタバコ臭気消臭剤を０．０００５〜２０質量％の割合で含有する香粧品類、飲食品類、皮膚外用剤、口腔用組成物、または衛生材料。
【発明の詳細な説明】
【０００１】
【発明の属する技術分野】
本発明は、タバコの臭いを効果的に除去するタバコ臭気消臭剤に関する。
【０００２】
【従来の技術】
一般に、シガレット等のタバコ喫煙物品から放出される副流煙等のタバコ臭気は、特に非喫煙者にとって好ましいとはいえないものである。特に、喫煙中に周囲に放出される副流煙臭気の対策は大きな問題となっている。
【０００３】
このような悪臭や異臭を消す方法としては、非常に強い芳香を有する物質を消臭剤として用い、その強い芳香を悪臭に混合させることにより、悪臭を隠蔽する方法が主として採られてきている（周知・慣用技術集（香料）第Ｉ部  香料一般
平成１１年１月２９日発行）。
【０００４】
しかし、このような従来の消臭剤は、通常、悪臭の強度より強い芳香を使用するものであるため、悪臭との混合後の全体としての臭いの強さが、混合前の悪臭の強さよりもかなり強くなり、結果的に不快に感じられることが多い。また、混合前の隠蔽はできても、混合後の臭いが新たな別の不快な臭いを感じさせる場合も多い。このように、従来の消臭剤では臭いの不快さを根本的に改善するには至っていない。
【０００５】
【発明が解決しようとする課題】
従って本発明は、喫煙中に周囲に放出される副流煙の臭気との混合後、全体の臭いを不快なレベルまで強くすることなく、更には、混合後の臭いが新たな別の不快臭となることなくタバコ臭気を隠蔽（マスク）することができるタバコ臭気消臭剤を提供することを目的とする。
【０００６】
【課題を解決するための手段】
そこで、本発明者らは、鋭意研究を行った結果、テルペン炭化水素を実質的に除去したマンダリンオレンジ精油画分がタバコ臭気の消臭に効果的であることを見いだし、その画分の構成成分のうちから選ばれた５つの成分群ののうちの少なくとも２つの成分を含む混合物が、喫煙時に周囲に放出される副流煙の臭気との混合後、全体の臭いを不快なレベルまで強くすることなく、さらには、混合後の臭いが新たな別の不快臭となることなくタバコ臭を隠蔽（マスク）することができることを見いだした。本発明はこの知見に基づく。
【０００７】
すなわち、本発明によれば、次の５つの成分群（Ｉ）〜（Ｖ）：
（Ｉ）オクタナール、ノナナールおよび／またはデカナール
（II）リナロール
（III）カルボン
（IV）アントラニル酸メチルおよび／またはＮ−メチルアントラニル酸メチル
（Ｖ）シネンサールおよび／またはオレンジピール精油シネンサール画分
のうち、少なくとも２つの成分群の成分を、質量比で、成分群（Ｉ）の成分：成分群（II）の成分：成分群（III）の成分：成分群（IV）の成分：成分群（Ｖ）の成分＝２〜６：３〜１０：０．５〜２．５：０．５〜２０：０．１〜３となる割合で含有するタバコ臭気消臭組成物と、該タバコ臭気消臭組成物を担持する担体とからなることを特徴とするタバコ臭気消臭剤が提供される。
【０００９】
また、本発明において、タバコ臭気消臭組成物は、該成分群（Ｉ）〜（Ｖ）のうち、少なくとも３つの成分群の成分を含有することが好ましい。
【００１０】
特に、タバコ臭気消臭組成物は、オクタナール、リナロール、カルボン、アントラニル酸メチル、およびシネンサールもしくはオレンジピール精油シネンサール画分からなる群の中から選ばれる少なくとも２種以上の成分を含有することが好ましい。その場合、タバコ臭気消臭組成物は、オクタナール、リナロール、カルボン、アントラニル酸メチル、およびシネンサールもしくはオレンジピール精油シネンサール画分を、質量比で、３〜５：５〜１０：０．５〜１．５：１〜１０：０．５〜２となる割合で含有することが特に好ましい。
【００１１】
本発明のタバコ臭気消臭剤は、液体状消臭剤、固体状消臭剤、粉末状消臭剤、ゲル状消臭剤、ミスト状消臭剤、またはエアゾール状消臭剤の形態にあり得る。
【００１２】
本発明のタバコ臭気消臭剤は、タバコ臭気消臭組成物を０．００５〜５０質量％の割合で含有することが好ましい。
【００１３】
本発明は、本発明のタバコ臭気消臭剤を０．０００５〜２０質量％の割合で含有する香粧品類、飲食品類、皮膚外用剤、口腔用組成物、または衛生材料を提供する。
【００１４】
【発明の実施の形態】
以下、本発明について詳細に説明する。
【００１５】
本発明のタバコ臭気消臭剤に用いられる消臭組成物は、次の５つの成分群（Ｉ）〜（Ｖ）、すなわち（Ｉ）（ａ）オクタナール、（ｂ）ノナナールおよび／または（ｃ）デカナール、（II）リナロール、（III）カルボン、（IV）（ａ）アントラニル酸メチルおよび／または（ｂ）Ｎ−メチルアントラニル酸メチル、（Ｖ）（ａ）シネンサールおよび／または（ｂ）オレンジピール精油シネンサール画分のうち、少なくとも２つの群の成分を含む。上記成分のうち、リナロールは、ｄ体、ｌ体またはラセミ体のいずれでもよく、カルボンも、ｌ体、ｄ体またはラセミ体のいずれでもよく、またシネンサールは、α体、β体またはそれらの混合物のいずれでもよい。また、オレンジピール精油シネンサール画分とは、柑橘類の果皮油（ピールオイル）を冷時あるいは常温下で採取した精油（一般に、コールドプレスオイルと呼ばれる）を分留することにより得られるα，β−シネンサール（特有成分）またはα，β−シネンサール成分リッチは留分をいう。例えば，Ｒ．Ｃ．Ｔｒｅａｔ社のシネンサール２０／１０Ａ  Ｎａｔｉｏｎａｌ（商品名）等を用いることができる。成分群（Ｉ）〜（Ｖ）を構成する成分を以下、特定成分ということがある。
【００１６】
成分群（Ｉ）における成分（ａ）〜（ｃ）が、いずれか２種以上の混合物の形態で含まれる場合、その混合物を１成分とみなし、成分群（IV）における成分（ａ）と（ｂ）が混合物の形態でタバコ臭気消臭組成物に含まれる場合、その混合物を１成分とみなし、また成分群（Ｖ）における成分（ａ）と（ｂ）が混合物の形態でタバコ臭気消臭組成物に含まれる場合、その混合物を１成分とみなすとき（本発明において、同じ）、本発明のタバコ臭気消臭組成物は、以下の２特定成分系〜５特定成分系を含む。
【００１７】
＜２特定成分系＞
（Ｉ）（ａ）、（Ｉ）（ｂ）および／もしくは（Ｉ）（ｃ）と、（II）、（III）、（IV）（ａ）および／もしくは（IV）（ｂ）または（Ｖ）（ａ）および／もしくは（Ｖ）（ｂ）との組合せ；
（II）と、（III）、（IV）（ａ）および／もしくは（IV）（ｂ）または（Ｖ）（ａ）および／もしくは（Ｖ）（ｂ）との組合せ；
（III）と、（IV）（ａ）および／もしくは（IV）（ｂ）または（Ｖ）（ａ）および／もしくは（Ｖ）（ｂ）との組合せ；または
（IV）（ａ）および／もしくは（IV）（ｂ）と、（Ｖ）（ａ）および／もしくは（Ｖ）（ｂ）との組合せ。
２特定成分系においては、（Ｉ）（ａ）、（Ｉ）（ｂ）および／または（Ｉ）（ｃ）と（II）との組合せ、（Ｉ）（ａ）、（Ｉ）（ｂ）および／または（Ｉ）（ｃ）と（III）との組合せ、（Ｉ）（ａ）、（Ｉ）（ｂ）および／または（Ｉ）（ｃ）と（IV）（ａ）および／または（IV）（ｂ）との組合せ、（Ｉ）（ａ）、（Ｉ）（ｂ）および／または（Ｉ）（ｃ）と（Ｖ）（ａ）および／または（Ｖ）（ｂ）との組合せ、（II）と（IV）（ａ）および／または（IV）（ｂ）との組合せ、（II）と（Ｖ）（ａ）および／または（Ｖ）（ｂ）との組合せ、（III）と（IV）（ａ）および／または（IV）（ｂ）との組合せ、（III）と（Ｖ）（ａ）および／または（Ｖ）（ｂ）との組合せ、および（IV）と（Ｖ）（ａ）および／または（Ｖ）（ｂ）との組合せが特に好ましい。
【００１８】
＜３特定成分系＞
（Ｉ）（ａ）、（Ｉ）（ｂ）および／もしくは（Ｉ）（ｃ）と、（II）と、（III）、（IV）（ａ）および／もしくは（IV）（ｂ）または（Ｖ）（ａ）および／もしくは（Ｖ）（ｂ）との組合せ；
（Ｉ）（ａ）、（Ｉ）（ｂ）および／もしくは（Ｉ）（ｃ）と、（III）と、（IV）（ａ）および／もしくは（IV）（ｂ）または（Ｖ）（ａ）および／もしくは（Ｖ）（ｂ）との組合せ；
（II）と、（III）と、（IV）（ａ）および／もしくは（IV）（ｂ）または（Ｖ）（ａ）および／もしくは（Ｖ）（ｂ）との組合せ；または
（Ｉ）（ａ）、（Ｉ）（ｂ）および／もしくは（Ｉ）（ｃ）、（II）および／または（III）と、（IV）（ａ）および／または（IV）（ｂ）と、（Ｖ）（ａ）および／または（Ｖ）（ｂ）との組合せ。
【００１９】
＜４特定成分系＞
（Ｉ）（ａ）、（Ｉ）（ｂ）および／もしくは（Ｉ）（ｃ）と、（II）と、（III）と、（IV）（ａ）および／もしくは（IV）（ｂ）または（Ｖ）（ａ）および／もしくは（Ｖ）（ｂ）との組合せ；
（II）と、（III）と、（IV）（ａ）および／もしくは（IV）（ｂ）と、（Ｖ）（ａ）および／もしくは（Ｖ）（ｂ）との組合せ；または
（Ｉ）（ａ）、（Ｉ）（ｂ）および／もしくは（Ｉ）（ｃ）と、（II）および／または（III）と、（IV）（ａ）および／または（IV）（ｂ）と、（Ｖ）（ａ）および／または（Ｖ）（ｂ）との組合せ。
【００２０】
＜５特定成分系＞
（Ｉ）（ａ）、（Ｉ）（ｂ）および／もしくは（Ｉ）（ｃ）と（II）と（III）と、（IV）（ａ）および／もしくは（IV）（ｂ）と、（Ｖ）（ａ）および／もしくは（Ｖ）（ｂ）との組合せ。
【００２１】
しかしながら、好ましい実施の形態において、本発明のタバコ臭気消臭組成物は、オクタナール、リナロール、カルボン、アントラニル酸メチル、およびオレンジピール精油シネンサール画分もしくはシネンサールからなる群の中から選ばれる少なくとも２種の成分、好ましくは少なくとも３種の成分を含む。
【００２２】
本発明のタバコ臭気消臭組成物は、その特定成分数が多くなるほど、所期の効果がより一層顕著なものとなる。すなわち、２特定成分系のタバコ臭気消臭組成物よりも３特定成分系のタバコ臭気消臭組成物の方が好ましく、３特定成分系のタバコ臭気消臭組成物よりも４特定成分系のタバコ臭気消臭組成物の方が好ましい。最も好ましいタバコ臭気消臭組成物は、５特定成分系である。
【００２３】
本発明のタバコ臭気消臭組成物を構成する５特定成分は、（Ｉ）：（II）：（III）：（IV）：（Ｖ）＝２〜６：３〜１０：０．５〜２．５：０．５〜２０：０．１〜３の重量比で配合される。ここで、２特定成分系における２つの特定成分の重量比、３特定成分系における３つの特定成分の重量比、４特定成分系における４つの特定成分の重量比は、ここで述べた重量比における数値がそのまま適用される（以下、特定成分の比について同じ）。すなわち、今、（Ｉ）：（II）：（III）：（IV）：（Ｖ）の上記重量比を、簡便のために、Ａ：Ｂ：Ｃ：Ｄ：Ｅで表すと、例えば、（II）と（III）の２成分系における（II）と（III）の比は、Ｂ：Ｃが好ましく、（Ｉ）と（IV）との２成分系における（Ｉ）と（IV）の比は、Ａ：Ｄが好ましい。同様に、例えば、（Ｉ）と（II）と（III）の３成分系における（Ｉ）と（II）と（III）の比は、Ａ：Ｂ：Ｃが好ましく、（II）と（IV）と（Ｖ）の３成分系における（II）と（IV）と（Ｖ）の比は、Ｂ：Ｄ：Ｅが好ましい。また、例えば、（Ｉ）と（II）と（III）と（IV）の４成分系における（Ｉ）と（II）と（III）と（IV）の比は、Ａ：Ｂ：Ｃ：Ｄが好ましく、（II）と（III）と（IV）と（Ｖ）の４成分系における（II）と（III）と（IV）と（Ｖ）の比は、Ｂ：Ｃ：Ｄ：Ｅが好ましい。
【００２４】
本発明のタバコ臭気消臭組成物において、特に好ましい成分配合比は、マンダリンオレンジ精油における上記各特定成分の存在比を実質的に維持する重量比である（特定成分（Ｖ）のうち、（Ｖ）（ｂ）のオレンジピール精油シネンサール画分は、マンダリンオレンジ精油中にはそのまま含まれていないが、（Ｖ）（ａ）のシネンサールと均等であるので、成分（Ｖ）は、マンダリンオレンジ精油におけるシネンサールの存在比と同じである。）。すなわち、特に好ましいタバコ臭気消臭組成物における特定成分の重量比（Ｉ）：（II）：（III）：（IV）：（Ｖ）は、３〜５：７〜１０：１．０〜２．０：１．０〜３．０：０．５〜１．５である。
【００２５】
本発明のタバコ臭気消臭組成物は、上記特定成分以外に他の成分を含むことができる。そのような他の成分としては、上記特定成分以外のマンダリンオレンジ精油成分を好ましく例示することができる。本発明のタバコ臭気消臭組成物に含有され得る他のマンダリンオレンジ精油成分の例を挙げると、４−テルピネオール、α−テルピネオール、オクタノール、チモール、ヘプタノール、ｃｉｓ−カルベオール、ペリラアルコール、ｐ−メンタン１，８−ジオール等のアルコール成分、ゲラニアール、シトロネラール、ドデカナール等のアルデヒド成分、その他リモネンオキサイド等である。本発明のタバコ臭気消臭組成物は、特定成分を合計で、０．１質量％以上の割合で含有することが好ましく、５質量％以上の割合で含有することがより好ましく、３０質量％以上の割合で含有することがさらに好ましい。
【００２６】
また、本発明のタバコ臭気消臭組成物に、消臭効果を有するものとして通常使用されている香料成分をさらに添加することもできる。そのような消臭性香料としては、各種合成香料、天然香料、合成精油、天然精油、柑橘油を例示することができる。具体的には、例えば、周知慣用技術集（香料）第Ｉ部  香料一般  ２・６・１６  マスキング剤  ２３０〜２５０頁（１９９９年）に記載されているような広範な消臭性香料を使用することができる。
【００２７】
本発明のタバコ臭気消臭剤の剤形としては、液体状、固体状、粉末状、ゲル状、ミルト状、またはエアゾール状等を例示することができる。
【００２８】
また、担体も、これに応じて、例えば、液体状基剤、固体状基剤、粉末状基剤、ゲル状基剤、ミルト状基剤、またはエアゾール状基剤を使用することができる。
【００２９】
本発明において、消臭組成物を担体に担持する方法には、例えば、液体状基剤、ゲル状基剤、ミルト状基剤にあっては、界面活性剤、ゲル剤、水溶性高分子等を担体として用い、それらから形成されるミセルまたはゲルの内部に消臭組成物を保持することを、また固体状基剤、粉末状基剤、エアゾール状基剤にあっては、シリカゲル等の粉末または粒状成形物の表面に消臭組成物を保持することを含む。
【００３０】
本発明において、液体状基剤としては、ポリオキシエチレンソルビタンモノオレエート、ポリオキシエチレンソルビタンモノステアレート、ポリオキシエチレン硬化ヒマシ油等の非イオン性界面活性剤；ポリオキシラウリルエーテルリン酸ナトリウム等の陰イオン性界面活性剤等を例示することができる。
【００３１】
ゲル状基剤としては、カラギーナン、ジュランガム、トラガントガム、寒天、ゼラチン、ペクチン等の各種植物、動物、藻類、微生物等から抽出されるゲル剤；ステアリン酸ナトリウム、１２−ヒドロキシステアリン酸ナトリウム等のゲル剤として使用される金属石鹸；ポリビニルアルコール、セルロース誘導体、澱粉、澱粉誘導体等の水溶性有機高分子から形成されたもの等を例示することができる。
【００３２】
固体基剤としては、シリカゲル、アルミナ、ゼオライト、けい藻土、ケイ酸カルシウム、パルプ、セルロース等の粉末または粒状成型物等を例示することができる。
【００３３】
ミスト状基剤としては、ポリオキシエチレンソルビタンモノオレエート、ポリオキシエチレンソルビタンモノステアレート、ポリオキシエチレン硬化ヒマシ油等の非イオン性界面活性剤；ポリオキシラウリルエーテルリン酸ナトリウム等の陰イオン性界面活性剤等を例示することができる。
【００３４】
エアゾール状基剤としては、球状シリカゲル等の球状成形物を例示することができる。
【００３５】
本発明の液体状消臭剤、固体状消臭剤、粉末状消臭剤、ゲル状消臭剤、ミスト状消臭剤、エアゾール状消臭剤等のタバコ臭気消臭剤は、それぞれ期待される効果・作用に応じて任意に加減されるが、タバコ臭気消臭組成物を一般的には約０．００５〜５０質量％の割合で含有することが望ましい。
【００３６】
本発明のタバコ臭気消臭剤を実用に供するに当たっては香粧品類、飲食品類、皮膚外用剤、口腔用組成物または衛生材料に添加した形態とすることができる。
【００３７】
香粧品類としては、柔軟化粧水、収れん化粧水、ふきとり用化粧水、乳液、全身用ローション、アフターシェービングローションおよびジェル、マッサージクリーム、クレンジングクリームおよびジェル、制汗剤、アイパック剤、シャンプー類、ヘヤークリーム類、ヘヤートニック類、ポマード類、リンス類、コンディショナー類、育毛ローションその他の毛髪用化粧品基剤；オシロイ、口紅、その他化粧料基材や化粧料洗剤等を挙げることができる。
【００３８】
飲食品類としては、例えば、果汁飲料類、果実酒類、乳飲料類、炭酸飲料、ドリンク剤類の如き飲料類；アイスクリーム類、シャーベット類、アイスキャンディー類の如き冷菓；和・洋菓子類、ジャム類、キャンディー類、ゼリー類、ガム類、パン類、コーヒー類、ココア類、紅茶類、ウーロン茶類、緑茶類の如き嗜好飲料類；和風スープ、洋風スープ、中華スープの如きスープ類、風味調味料、各種インスタント飲料乃至食品類、各種スナック食品類等を挙げることができる。
【００３９】
皮膚外用剤としては、例えば、エアゾール製剤、ハップ剤、軟膏剤、入浴剤等を挙げることができる。
【００４０】
口腔用組成物としては、例えば、歯磨き、口腔洗浄料、マウスウォッシュ、チューインガム類等を挙げることができる。
【００４１】
衛生材料としては、例えば、洗濯用洗剤類、消毒用洗剤類、防臭洗剤類、室内芳香剤、（室内消臭剤）、石鹸、皿洗い洗剤、ソフトナー類、ファーニチアケアー、その他保健衛生用洗剤類；ティッシュペーパー、トイレットペッパー等の各種保健衛生材料類；医薬品の服用を容易にするための矯味、賦香剤など保健・衛生・医薬品類等を挙げることができる。
【００４２】
本発明のタバコ臭気消臭剤は、必須成分として上記特定成分の２種以上、好ましくは３種以上とこれを担持する担体とを含有していればよいが、これらを香粧品、飲食品、皮膚外用剤、口腔用組成物、衛生材料等に使用する場合、そのままの状態、あるいはこれらを例えば、アルコール類、プロピレングリコール、グリセリン等の多価アルコール類に溶解した液体形態；アラビアガム、トラガントガム等の天然ガム質類；グリセリン脂肪酸エステル、ショ糖脂肪酸エステル等の乳化剤で乳化した乳化形態；アラビアガム等の天然ガム質類、ゼラチン、デキストリン等の賦形剤を用いて被膜させた粉末形態；界面活性剤、例えば非イオン界面活性剤、アニオン界面活性剤、ノニオン界面活性剤、カチオン界面活性剤、両性界面活性剤等を用いて可溶化または分散化した可溶化状または分散化形態；またはカプセル化剤で処理して得られるマイクロカプセル形態等その目的に応じてその形態を選択して用いることができる。
【００４３】
さらに、シクロデキストリン等の包接剤に包接して、本発明のタバコ臭気消臭剤を安定化するとともに徐放性にして用いることもある。これらは、最終製品の形態、例えば液体状、固体状、粉末状、ゲル状、ミスト状、エアゾール状等の形態に適するように適宜選択して用いられる。
【００４４】
また、本発明のタバコ臭気消臭剤は、他の防臭・消臭剤、例えば、香料、酸化剤、還元剤、中和剤、無機系消臭剤（無機塩基、無機酸、金属酸化物、塩素化合物、オゾン、多孔物質等）、界面活性剤（非イオン系、アニオン系、カチオン系、ノニオン系、両性系等）等としばしば併用される。
【００４５】
なお、香粧品、飲食品、皮膚外用剤、口腔用組成物、衛生材料等の最終製品へのタバコ臭気消臭剤の添加量は、それぞれ場合によって期待される効果・作用に応じて任意に加減されるが、一般的には、最終製品の総質量に対し約０．０００５〜２０質量％程度である。
【００４６】
【実施例】
以下に実施例を挙げ、本発明を詳細に説明するが、本発明はこれらによってなんら限定されるものではなく、また本発明はこれらの実施例に限定されるものではない。
【００４７】
調製例１〜１８
下記表１〜表３に示す成分を同各表に示す割合で配合して本発明のタバコ臭気消臭組成物を調製した。
【００４８】
【表１】
0003801854.tif 000002
【００４９】
【表２】
0003801854.tif 000003
【００５０】
【表３】
0003801854.tif 000004
【００５１】
＜消臭効果試験＞
調製例１〜１８で調製した消臭組成物のタバコ臭気消臭効果を以下の官能評価方法（臭い袋法）により評価した。
【００５２】
（臭い袋法）
外部と連通する空気バッグ取り付けチューブを内側壁上部に、内部空気吸入ポート挿通用貫通孔を内側壁下部に有し、シガレット取り付け具を内側壁に備える容積４０５Ｌの直方体のチャンバ（以下、副流煙チャンバという）と市販の大気採取ボックスを準備する。大気採取ボックスは、内容積が１０Ｌよりもやや大きく、内部空気吸入ポートを内側壁下部に有し、排気孔を対向する内側壁下部に有するものである。
【００５３】
副流煙チャンバの空気バッグ取り付けチューブに内容積１０Ｌの空気バッグを取り付け、大気採取ボックスの吸入ポートに内容積１０Ｌ採取バッグを取り付けた後、副流煙チャンバの貫通孔に大気採取ボックスの吸入ポートを挿通する。ついで、大気採取ボックス内部の空気を吸引し、その吸引した空気をチャンバ内に取り付けた空気バッグ内に排出し得るように、大気採取ボックスの排気孔と副流煙チャンバの空気バッグ取り付けチューブとを真空ポンプを介してホースで接続して、閉鎖系とする。
【００５４】
しかる後、シガレットをチャンバ内のシガレット取り付け具に取り付け、自然燃焼させ、副流煙を発生させる。
【００５５】
シガレットの自然燃焼終了後、真空ポンプを駆動して、大気採取ボックス内を陰圧にすると同時に副流煙チャンバ内を空気バッグ内への排気により加圧することにより、副流煙チャンバ内の副流煙を含む空気を採取ボックス内の採取バッグ内に捕集する。
【００５６】
副流煙を含む空気を捕集した採取バッグを内部に納めたまま採取ボックスを副流煙チャンバから取り外し、希釈ラインに接続する。希釈ラインは、ポンプにより脱臭空気を後流末端に接続された臭い袋（容量３Ｌ）に送給するラインと、このラインの途中で分岐し、採取ボックスの吸入ポートに接続される分岐ラインからなり、各ラインは、流量調節弁を備える。採取バッグ内の空気は加圧ポンプによる採取ボックスの加圧により分岐ラインを通って臭い袋に送給される。
【００５７】
このようにして準備した臭い袋（１７ｍ3 当たりシガレット１本を燃焼させたときと同濃度になるように希釈）に評価対象の香料組成物を注射器により注入して揮発させ、香料を注入していない臭い袋と２つ一組にしてブラインドでパネルに提示し、一対比較法（強制２者択一法）により、以下の評価項目について結果を報告させる。
【００５８】
１．臭い全体の強さが強いのはどちらの臭い袋か
２．臭いのよいのはどちらの臭い袋か
３．タバコ臭の強いのはどちらの臭い袋か。
【００５９】
その結果、評価項目１〜３それぞれにおいて、評価対象の臭い袋と答えたパネルの数をパネルの総数で除した値を評価結果とする。従って、臭気全体の強さとタバコ臭については、数値が小さいほど優れており、臭いのよさについては、数値が大きいほど優れていることとなる。なお、パネルは、任意に抽出した成人であり、タバコ臭についての専門の訓練を受けていない普通人であった。
【００６０】
評価結果を下記表４に示す。
【００６１】
【表４】
0003801854.tif 000005
【００６２】
表４からわかるように、本発明の消臭組成物は、タバコ臭気と混合しても、全体の臭いの強さを有意に増加することなく、タバコ臭気を効果的に消臭し得る。
【００６３】
実施例１：粒状消臭剤
（Ｉ）調製例１３で調製したタバコ臭気消臭組成物を用い、下記表５に示す組成の粒状消臭剤用消臭組成物を調製した。
【００６４】
【表５】
0003801854.tif 000006
【００６５】
（II）下記表６に示す（Ｃ）のシリカゲルに（Ｂ）のプロピレングリコールを加えゆっくり撹拌し、プロピレングリコールがシリカゲルに吸収されてシリカゲル表面が乾いた後、（Ａ）の消臭組成物を加え、ゆっくり撹拌しながらシリカゲルに吸収させて粒状消臭剤を得た。
【００６６】
【表６】
0003801854.tif 000007
【００６７】
実施例２：粒状消臭剤
下記表７に示す（Ｃ）のシリカゲルに（Ｂ）のプロピレングリコールを加えゆっくり撹拌し、プロピレングリコールがシリカゲルに吸収されてシリカゲル表面が乾いた後、（Ａ）の消臭組成物を加え、ゆっくり撹拌しながらシリカゲルに吸収させて粒状消臭剤を得た。
【００６８】
【表７】
0003801854.tif 000008
【００６９】
実施例３：ミスト状消臭剤
（Ｉ）調製例１８で調製したタバコ臭気消臭組成物を用い、下記表８に示す組成のミスト状消臭剤用消臭組成物を調製した。
【００７０】
【表８】
0003801854.tif 000009
【００７１】
（II）下記表９に示す（Ａ）の４成分を混合し、完全に溶解させた後、あらかじめ（Ｂ）のメチルパラベンを溶解した精製水に加え、撹拌溶解してミスト状消臭剤を得た。
【００７２】
【表９】
0003801854.tif 000010
【００７３】
実施例４：ミスト状消臭剤
下記表１０に示す（Ａ）の４成分を混合し、完全に溶解させた後、あらかじめ（Ｂ）のメチルパラベンを溶解した精製水に加え、撹拌溶解してミスト状消臭剤を得た。
【００７４】
【表１０】
0003801854.tif 000011
【００７５】
実施例５：水ベース系消臭剤
（Ｉ）調製例１３で調製したタバコ臭気消臭組成物を用い、下記表１１に示す組成の水ベース系消臭剤用消臭組成物を調製した。
【００７６】
【表１１】
0003801854.tif 000012
【００７７】
（II）下記表１２に示す精製水とプロピレングリコールと塩化カルシウムを均一になるまで撹拌した。その後、カラギーナンとローストビーンガムおよびメチルパラベンを少量づつ撹拌しながら加えた。ついで、撹拌しながら８０℃まで加温し、混合液が懸濁液となった後、加温を停止し放冷した。約６５℃まで冷却後、実施例５（Ｉ）の水ベース系消臭剤用消臭組成物とモノオレイン酸ポリオキシエチレンソルビタンを加え、撹拌した。その後、５５℃で、この混合物が懸濁液になるまで撹拌し、下記表１２に示す組成の水ベース系ゲル状消臭剤を得た。
【００７８】
【表１２】
0003801854.tif 000013
【００７９】
実施例６：水ベース系ゲル状消臭剤
下記表１３に示す精製水とプロピレングリコールと塩化カルシウムを均一になるまで撹拌した。その後、カラギーナンとローストビーンガムおよびメチルパラベンを少量づつ撹拌しながら加えた。ついで、撹拌しながら８０℃まで加温し、混合液が懸濁液となった後、加温を停止し放冷した。約６５℃まで冷却後、調製例１３で調製したタバコ臭気消臭組成物とモノオレイン酸ポリオキシエチレンソルビタンを加え撹拌した。その後、５５℃で、この混合物が懸濁液になるまで撹拌し、下記表１３に示す組成の水ベース系ゲル状消臭剤を得た。
【００８０】
【表１３】
0003801854.tif 000014
【００８１】
実施例７：油性ゲル状消臭剤
（Ｉ）調製例１３で調製したタバコ臭気消臭組成物を用い、下記表１４に示す組成の油性ゲル状消臭剤用消臭組成物を調製した。
【００８２】
【表１４】
0003801854.tif 000015
【００８３】
（II）下記表１５に示す成分を８０〜８５℃にて均一になるまで加熱撹拌し、その後冷却することにより油系ゲル状消臭剤を得た。
【００８４】
【表１５】
0003801854.tif 000016
【００８５】
実施例８：油性ゲル状消臭剤
下記表１６に示す成分を８０〜８５℃で均一になるまで加熱撹拌し、その後冷却することにより油系ゲル状消臭剤を得た。
【００８６】
【表１６】
0003801854.tif 000017
【００８７】
実施例９：エアゾール状消臭剤
（Ｉ）調製例１７で調製したタバコ臭気消臭組成物を用い、下記表１７に示す組成のエアゾール状消臭剤用消臭組成物を調製した。
【００８８】
【表１７】
0003801854.tif 000018
【００８９】
（II）下記表１８に示す（Ａ）を撹拌溶解し、エアゾール缶に充填し、密封した後、（Ｂ）を注入してエアゾール状消臭剤を得た、噴射剤には一般的にエアゾール状消臭剤に使用されている液化プロパンガスを使用した。
【００９０】
【表１８】
0003801854.tif 000019
【００９１】
実施例１０：エアゾール状消臭剤
下記表１９に示す（Ａ）を撹拌溶解し、エアゾール缶に充填し、密封した後、（Ｂ）を注入してエアゾール状消臭剤を得た、噴射剤には一般的にエアゾール状消臭剤に使用されている液化プロパンガスを使用した。
【００９２】
【表１９】
0003801854.tif 000020
【００９３】
実施例１１：シャンプー
（Ｉ）調製例１３で調製したタバコ臭気消臭組成物を用い、下記表２０に示す組成のシャンプー用消臭組成物を調製した。
【００９４】
【表２０】
0003801854.tif 000021
【００９５】
（II）下記表２１に示す成分を８０℃で撹拌して懸濁液とし、その後３５℃まで冷却してシャンプーを得た。
【００９６】
【表２１】
0003801854.tif 000022
【００９７】
実施例１２：シャンプー
下記表２２に示す成分を８０℃で撹拌して懸濁液とし、その後３５℃まで冷却してシャンプーを得た。
【００９８】
【表２２】
0003801854.tif 000023
【００９９】
実施例１３：ボディシャンプー
（Ｉ）調製例１３で調製したタバコ臭気消臭組成物を用い、下記表２３に示す組成のボディシャンプー用消臭組成物を調製した。
【０１００】
【表２３】
0003801854.tif 000024
【０１０１】
（II）下記表２４に示す成分を８０℃で撹拌して懸濁液とし、その後３５℃まで冷却してシャンプーを得た。
【０１０２】
【表２４】
0003801854.tif 000025
【０１０３】
実施例１４：ボディシャンプー
下記表２５に示す成分を８０℃で撹拌して懸濁液とし、その後３５℃まで冷却してシャンプーを得た。
【０１０４】
【表２５】
0003801854.tif 000026
【０１０５】
実施例１５：リンス
（Ｉ）調製例１３で調製したタバコ臭気消臭組成物を用い、下記表２６に示す組成のリンス用消臭組成物を調製した。
【０１０６】
【表２６】
0003801854.tif 000027
【０１０７】
（II）下記表２７に示す成分を８０℃で均一になるまで加熱撹拌し、その後３５℃まで冷却してリンスを得た。
【０１０８】
【表２７】
0003801854.tif 000028
【０１０９】
実施例１６：リンス
下記表２８に示す成分を８０℃で均一になるまで加熱撹拌し、その後３５℃まで冷却してリンスを得た。
【０１１０】
【表２８】
0003801854.tif 000029
【０１１１】
実施例１７：ヨーグルトキャンディー
（Ｉ）調製例１３で調製したタバコ臭気消臭組成物を用い、下記表２９に示す組成のヨーグルトフレーバーを調製した。
【０１１２】
【表２９】
0003801854.tif 000030
【０１１３】
（II）実施例１７（Ｉ）で調製したヨーグルトフレーバーを用い、下記表３０に示す組成のヨーグルトキャンディーを調製した。
【０１１４】
【表３０】
0003801854.tif 000031
【０１１５】
実施例１８：洗口剤
（Ｉ）調製例１３で調製したタバコ臭気消臭組成物を用い、下記表３１に示す組成のマウスウォッシュフレーバーを調製した。
【０１１６】
【表３１】
0003801854.tif 000032
【０１１７】
（II）実施例１８（Ｉ）で調製したマウスウォッシュフレーバーを用い、下記表３２に示す組成の洗口剤を調製した。
【０１１８】
【表３２】
0003801854.tif 000033
【０１１９】
実施例１９：歯磨剤
（Ｉ）調製例１３で調製したタバコ臭気消臭組成物を用い、下記表３３に示す組成のツースペーストフレーバーを調製した。
【０１２０】
【表３３】
0003801854.tif 000034
【０１２１】
（II）実施例１９（Ｉ）で調製したツースペーストフレーバーを用い、下記表３４に示す組成の歯磨剤を調製した。
【０１２２】
【表３４】
0003801854.tif 000035
【０１２３】
実施例２０：口中剤
（Ｉ）調製例１３で調製したタバコ臭気消臭組成物を用い、下記表３５に示す組成のオーラルフレッシュフレーバーを調製した。
【０１２４】
【表３５】
0003801854.tif 000036
【０１２５】
（II）実施例２０（Ｉ）で調製したオーラルフレッシュフレーバーを用い、下記表３６に示す組成の口中剤を調製した。
【０１２６】
【表３６】
0003801854.tif 000037
【０１２７】
実施例２１：チューインガム
（Ｉ）調製例１３で調製したタバコ臭気消臭組成物を用い、下記表３７に示す組成のチューインガム用フレーバーを調製した。
【０１２８】
【表３７】
0003801854.tif 000038
【０１２９】
（II）実施例２１（Ｉ）で調製したチューインガム用フレーバーを用い、下記表３８に示す組成のチューインガムを調製した。
【０１３０】
【表３８】
0003801854.tif 000039
【０１３１】
実施例２２：錠菓
（Ｉ）調製例１３で調製したタバコ臭気消臭組成物を用い、下記表３９に示す組成の錠菓用フレーバーを調製した。
【０１３２】
【表３９】
0003801854.tif 000040
【０１３３】
（II）実施例２２（Ｉ）で調製した錠菓用フレーバーを用い、下記表４０に示す組成の錠菓を調製した。
【０１３４】
【表４０】
0003801854.tif 000041
【０１３５】
実施例２３：ゼラチンカプセル用フレーバー
（Ｉ）調製例１３で調製したタバコ臭気消臭組成物を用い、下記表４１に示す組成のゼラチンカプセル用フレーバーを調製した。
【０１３６】
【表４１】
0003801854.tif 000042
【０１３７】
（II）実施例２３（Ｉ）で調製したゼラチンカプセル用フレーバーを用い、下記表４２に示す組成のゼラチンカプセル基剤を調製した。
【０１３８】
【表４２】
0003801854.tif 000043
【０１３９】
上記実施例で調製した粒状消臭剤（実施例１〜２）、ミスト状消臭剤（実施例３〜４）、水ベース系ゲル状消臭剤（実施例５〜６）、油性ゲル状消臭剤（実施例７〜８）、エアゾール状消臭剤（実施例９〜１０）、シャンプー（実施例１１〜１２）、ボディシャンプー（実施例１３〜１４）、リンス（実施例１５〜１６）、ヨーグルトキャンディー（実施例１７）、洗口剤（実施例１８）、歯磨剤（実施例１９）、口中剤（実施例２０）、チューインガム（実施例２１）、錠菓（実施例２２）、およびゼラチンカプセル基剤（実施例２３）は、それらのタバコ副流煙に対する消臭効果と使用感を評価したところ、いずれも、消臭効果に優れ、使用感も良好であった。
【０１４０】
【発明の効果】
以上詳述したように、本発明によれば、タバコ臭気と混合しても、全体の臭いの強さを有意に増加することなく、タバコ臭気を効果的に消臭し得るタバコ臭気消臭剤が提供される。